(57)【要約】【課題】この発明は、光磁気記録再生装置に関し、レーザ光と印加磁界を調整することにより、磁界変調方式による記録特性の向上と隣接トラックのデータの破壊を低減することを課題とする。【解決手段】光磁気記録媒体の所定の位置にレーザ光を照射する光照射部と、前記媒体に、記録情報に対応した磁界を印加する磁界発生部と、光照射部に、レーザ光の発光強度と発光時間を指示する光制御部と、前記磁界発生部に、印加磁界の強度と印加方向を指示する磁界制御部とを備え、記録情報が変化した場合に、磁界制御部は、磁界の印加方向を反転させる指示を与え、光制御部は、変化後の情報を記録する際に照射するレーザ光の発光強度Ｐｗ１を、同一情報が連続した場合の２番目以降の情報を記録する際に照射するレーザ光の発光強度Ｐｗ２よりも大きくし、発光強度Ｐｗ１のレーザ光の発光時間Ｔ１を、発光強度Ｐｗ２のレーザ光の発光時間Ｔ２よりも短くするように、光照射部に指示を与えることを特徴とする。【選択図】図２
2006185549.tif 000002
【特許請求の範囲】
【請求項１】
光磁気記録媒体の所定の位置にレーザ光を照射する光照射部と、
前記光磁気記録媒体に、記録すべき情報に対応した磁界を印加する磁界発生部と、
前記光照射部に、レーザ光の発光強度と発光時間を指示する光制御部と、
前記磁界発生部に、印加磁界の強度と印加方向を指示する磁界制御部とを備え、
記録すべき情報が変化した場合に、前記磁界制御部は、磁界を印加する方向を反転させる指示を与え、前記光制御部は、変化後の情報を記録する際に照射するレーザ光の発光強度Ｐｗ１を、同一情報が連続した場合の２番目以降の情報を記録する際に照射するレーザ光の発光強度Ｐｗ２よりも大きくし、前記発光強度Ｐｗ１のレーザ光の発光時間Ｔ１を、前記発光強度Ｐｗ２のレーザ光の発光時間Ｔ２よりも短くするように、光照射部に指示を与えることを特徴とする光磁気記録再生装置。
【請求項２】
前記発光強度Ｐｗ１のレーザ光が媒体に与える熱エネルギー量が、前記発光強度Ｐｗ２のレーザ光が媒体に与える熱エネルギー量とほぼ同一であることを特徴とする請求項１の光磁気記録再生装置。
【請求項３】
前記発光強度Ｐｗ１のレーザ光の発光強度Ｐｗ１×発光時間Ｔ１で与えられるパラメータＳ１＝（Ｐｗ１×Ｔ１）が、前記発光強度Ｐｗ２のレーザ光の発光強度Ｐｗ２×発光強度Ｔ２で与えられるパラメータＳ２＝（Ｐｗ２×Ｔ２）とほぼ同一であることを特徴とする請求項１の光磁気記録再生装置。
【請求項４】
前記磁界制御部は、記録すべき情報が変化した場合に、変化した後の情報を記録する際に印加する磁界の強度Ｈｗ１を、同一情報が連続した場合の２番目以降の情報を記録する際に印加する磁界の強度Ｈｗよりも大きくするように、磁界発生部に指示を与えることを特徴とする請求項１，２または３のいずれかに記載した光磁気記録再生装置。
【請求項５】
前記媒体の所定の位置にレーザ光を照射し、かつその位置近傍に同時に磁界を印加して、媒体に形成されたトラックごとに、情報を磁界変調方式でオーバライトすることを特徴とする請求項１乃至４のいずれかに記載した光磁気記録再生装置。
【発明の詳細な説明】
【技術分野】
【０００１】
この発明は、光磁気記録再生装置に関し、特に、外部磁界を変調させると共にレーザ光を照射させることにより情報を記録し、ディスクの半径方向に位置する隣接トラックのデータ破壊を低減する磁界変調方式の光磁気記録再生装置に関する。
【背景技術】
【０００２】
近年、記録媒体の記録密度の高密度化の要求に伴い、種々の高密度化記録方式が提案されている。光磁気記録媒体においては、高密度化技術の一つとして「磁界変調方式」が実用化されている。
磁界変調方式は、レーザ光のスポットサイズよりも小さなマークを記録媒体にオーバライトする方式である。これは、記録データ「０」または「１」に対応させて外部磁界を変調させ、一定の強さのレーザ光をパルス的に照射させることにより、情報を記録再生する。「０」を記録する印加磁界の方向と、「１」を記録する印加磁界の方向とは逆転させる。
【０００３】
図４に、従来の磁界変調方式の光磁気記録再生装置の概略構成図を示す。
図４において、光磁気記録媒体４は、基板５上に記録膜６が形成された媒体であり、ランドおよびグルーブからなるトラックが円周方向に形成されている。
光源１から出射されたレーザ光は、対物レンズ３により集光されて媒体４の所望の位置に照射される。
対物レンズ３は、アクチュエータ２に搭載され、高速回転する媒体４に面ぶれや偏芯があってもレーザ光が媒体４の所望のトラックに照射されるようにアクチュエータ２によって位置や角度が制御される。
一方、電源８をスイッチングすることにより、コイル７には電流が流され、コイルの近傍に磁界が発生される。コイル７に流す電流の向きを反転させることにより、方向の異なる２種類の磁界を発生させることができる。
【０００４】
データの記録時において、媒体４上の所望の位置に光ビームを照射するとともに、記録するデータ（０または１）に対応した磁界を印加することにより、媒体４の記録膜６上のビームスポットの位置にデータを記録する。記録時には、再生時よりも高いパワーのレーザ光が照射される。
また、磁界変調方式では、コイル７に流れる電流の向きを反転させることにより、発生する磁界の向き（＋Ｈｗまたは−Ｈｗ）を変えることができるので、同一トラック内の隣接する２つの記録データをいくらかオーバラップして記録することができる。
【０００５】
図５に、従来の磁界変調方式の記録時における印加磁界とレーザ光の関係の説明図を示す。
ここで、図５に示すように「１，０，１，１，０，０，……」の順に、データを記録するものとし、「１」のとき図の白マークを記録し、「０」のとき図の黒マークを記録するものとする。印加磁界の大きさは＋Ｈｗまたは−Ｈｗのどちらかであり、＋Ｈｗと−Ｈｗとでは、磁界の向きが逆である。
磁界の向きの反転は、コイル７に通電する電流の方向を逆にすることにより行う。たとえば、「１」の白マークを記録するときには、媒体４の記録面に対して垂直方向かつ上向きの磁界「＋Ｈｗ」を発生させる。逆に、「０」の黒マークを記録するときには、媒体４の記録面に対して垂直方向かつ下向きの磁界「−Ｈｗ」を発生させる。
【０００６】
記録データが「１」から「０」に変化するとき、磁界が＋Ｈｗから−Ｈｗに反転し、「０」から「１」に変化するとき磁界が−Ｈｗから＋Ｈｗに反転するように、コイルに流れる電流の向きを反転させる。同じデータが続くときは、磁界の向きは変化させない。
一方、この印加磁界の発生タイミングに同期して、一定のレーザパワー（Ｐｗ）を持つレーザ光がパルス的に照射される。
図５に示すように、パルス光のピークと、印加磁場のピークとが同期するようにタイミングが制御される。
【０００７】
図５の磁界とレーザ光のグラフの横軸は時間を示しているが、媒体４は回転しており、記録マークに関しては記録される媒体上の１つのトラックの位置を示している。
図５において、左側のマークが先に記録され、その次に右隣のマークが順に記録されていくものとすると、まず、最も左側の「１」のマークが記録された後、次の磁界の印加タイミングで右隣に「０」のマークが記録される。このとき、先に記録されていた「１」と、次に記録された「０」とは、いくらかオーバラップして記録される。
すなわち、「１」を記録するときのビームスポットと、右隣の「０」を記録するときのビームスポットとは一部分オーバラップした状態となり、両マークが完全に重なり合っている部分には、先に記録されていた「１」の白マークではなく、後に記録された「０」の黒マークの情報が記録されることになる。したがって、先に記録された「１」の白マークのうち、重なりのない左側の部分（有効領域）にのみ、「１」のマーク情報が記録されていることになる。
【０００８】
図５において、記録マークが黒から白、あるいは白から黒へ反転するとき、両マークの境界部分（マークエッジ）は、「１」と「０」とが明確に区別されているわけではなく、どちらのマークであるか不確定な部分である。この不確定な部分の領域が大きいと、安定したデータの再生ができない。すなわち、データの読取エラーとなり、記録特性が劣化することになる。
そこで、マークエッジ部分の不確定な部分の特性を改善するために、磁界が反転する場合のレーザ光のパワーを大きくする従来技術が提案されている（特許文献１および２参照）。
【０００９】
図６に、レーザ光のパワーを変化させる従来の磁界変調方式の磁界とレーザ光パワーの関係図を示す。
図６において、記録マークが０から１、または１から０に変化する場合は、高いパワーＰｗ１のレーザ光を照射し、１あるいは０が連続する場合の２つ目以降のマークの記録のときには低いパワーＰｗ２（＜Ｐｗ１）のレーザ光を照射している。
このように、磁界反転時のレーザ光のパワーを大きくすると、熱エネルギー量が大きくなるので、マークエッジの不確定部分が少なくなり、再生エラーの減少、すなわち記録特性の改善ができる。
【特許文献１】特開平５−２８２７３５号公報
【特許文献２】特開平９−７２４４号公報
【発明の開示】
【発明が解決しようとする課題】
【００１０】
しかし、このようにレーザパワーを大きくした場合、媒体の隣接するトラックのデータ破壊が生じることがある。
図７に、図６のようにレーザ光を照射した場合の記録マークの状態の説明図を示す。
一般に、レーザ光のパワーが大きくなると、加えられる熱エネルギー量が増加するため、書き込まれるマークの領域面積が大きくなる。図７において、レーザ光パワーが比較的低いＰｗ２のときに書き込まれたマークの直径をＷｂ、比較的高いＰｗ１のときに書き込まれたマークの直径をＷａとすると、Ｗａ＞Ｗｂとなる。
これは、１つのトラックの半径方向の幅をＷｂと同じとしたとき、磁界反転時に書き込まれたマークの幅Ｗａは、このトラック幅よりも大きいので、隣接トラックにまで広がってはみ出し記録されることになる。
【００１１】
この大きな直径Ｗａを持つ記録マークが書き込まれたトラックに隣接するトラック上に、すでにデータＡが書き込まれていた場合には、記録マークが半径方向へはみ出すために、データＡのマーク情報の有効領域の一部が破壊される場合もある。
有効領域の一部分が破壊された場合には、そのデータＡの読み出しエラーとなり、結果として記録特性の劣化をもたらすことになる。トラック幅を記録マークの幅よりも大きくするか隣接トラック間に緩衝領域を設ければ、半径方向のはみ出し記録があってもデータ破壊が起こらないようにすることもできるが、これでは記録密度が減少し、最近の高密度化の要望に反する。
【００１２】
したがって、磁界変調方式では、オーバラップされるマークエッジの良好な特性を維持したまま、記録マークの半径方向のはみ出しを抑えて、良好な記録特性と高密度化を実現することが望まれる。
そこで、この発明は以上のような事情を考慮してなされたものであり、照射するレーザ光および印加磁界の強度等を変化させ、記録マークの半径方向の広がりを抑えることにより、データの記録特性の向上を図ることのできる光磁気記録再生装置を提供することを課題とする。
【課題を解決するための手段】
【００１３】
この発明は、光磁気記録媒体の所定の位置にレーザ光を照射する光照射部と、前記媒体に、記録すべき情報に対応した磁界を印加する磁界発生部と、前記光照射部に、レーザ光の発光強度と発光時間を指示する光制御部と、前記磁界発生部に、印加磁界の強度と印加方向を指示する磁界制御部とを備え、記録すべき情報が変化した場合に、前記磁界制御部は、磁界を印加する方向を反転させる指示を与え、前記光制御部は、変化後の情報を記録する際に照射するレーザ光の発光強度Ｐｗ１を、同一情報が連続した場合の２番目以降の情報を記録する際に照射するレーザ光の発光強度Ｐｗ２よりも大きくし、前記発光強度Ｐｗ１のレーザ光の発光時間Ｔ１を、前記発光強度Ｐｗ２のレーザ光の発光時間Ｔ２よりも短くするように、光照射部に指示を与えることを特徴とする光磁気記録再生装置を提供するものである。
これによれば、媒体の半径方向の隣接トラックのデータの破壊の低減と、記録特性の向上、記録再生の信頼性の向上ができる。
【００１４】
また、前記発光強度Ｐｗ１のレーザ光が媒体に与える熱エネルギー量が、前記発光強度Ｐｗ２のレーザ光が媒体に与える熱エネルギー量とほぼ同一となるようにしてもよい。
さらに、前記発光強度Ｐｗ１のレーザ光の発光強度Ｐｗ１×発光時間Ｔ１で与えられるパラメータＳ１＝（Ｐｗ１×Ｔ１）が、前記発光強度Ｐｗ２のレーザ光の発光強度Ｐｗ２×発光強度Ｔ２で与えられるパラメータＳ２＝（Ｐｗ２×Ｔ２）とほぼ同一となるようにしてもよい。
【００１５】
また、前記磁界制御部は、記録すべき情報が変化した場合に、変化した後の情報を記録する際に印加する磁界の強度Ｈｗ１を、同一情報が連続した場合の２番目以降の情報を記録する際に印加する磁界の強度Ｈｗよりも大きくするように、磁界発生部に指示を与えるようにしてもよい。
また、この発明は、前記媒体の所定の位置にレーザ光を照射し、かつその位置近傍に同時に磁界を印加して、媒体に形成されたトラックごとに、情報を磁界変調方式でオーバライトすることを特徴とする光磁気記録再生装置を提供するものである。
これによれば、１つの情報を記録する際に媒体に与える熱エネルギー量を一定にできるので、記録マークの大きさ、特に媒体の半径方向の幅をほぼ一定とすることができ、隣接トラックにすでに記録されているデータの破壊が低減でき、記録特性の向上と、記録再生の信頼性を向上できる。
【００１６】
この発明において、記録すべき情報とは、媒体に記録される最小単位のデータを意味し、記録マークとも呼ぶ。また、情報は、２種類の記号で表され、以下の説明では、その値を「０」または「１」で表すものとする。
また、記録すべき情報が変化するとは、記録すべき情報として与えられた複数の情報の値が「０」から「１」へ変化すること、または「１」から「０」へ変化することをいう。ここで、変化後の情報とは、「０」から「１」へ変化した場合には「１」を意味し、「１」から「０」へ変化した場合には「０」を意味する。
同一情報が連続した場合の２番目以降の情報とは、同じ値が連続した情報のうち先頭を除く情報列を意味し、たとえば、０が連続したｎ個の情報列「０1，０2，０3，…０n」の中では、０1を除く「０2，０3，…０n」を意味する。
レーザ光が媒体に照射されたときに、媒体に与える熱エネルギー量は、発光強度（Ｐｗ）と発光時間（Ｔ）によって決定され、Ｐｗ×Ｔにほぼ比例する量である。
【００１７】
この発明の光照射部は、レーザ光を発生する光源，レーザ光を媒体の所定の位置に集光する対物レンズ，対物レンズを駆動するアクチュエータ，および光源を制御するレーザ光ドライバなどから構成される。磁界発生部は、コイルと、コイルに電流を流すコイルドライバなどから構成される。
光制御部および磁界制御部は、それぞれ光照射部および磁界発生部に、制御情報を与えるものであり、たとえば、ＣＰＵ，ＲＯＭ，ＲＡＭ，タイマー，Ｉ／Ｏコントローラなどからなるマイクロコンピュータにより実現される。
また、上記パラメータＳ１，Ｓ２は、後述する実施例の中で説明するレーザ光のパルス波形の面積に相当するものであり、レーザ光が媒体に与える熱エネルギー量の大きさを反映したパラメータである。
【発明の効果】
【００１８】
この発明によれば、記録情報が変化した場合の変化後の情報を記録する際に照射するレーザ光の発光強度Ｐｗ１を、同一情報が連続した場合の２番目以降の情報を記録する際に照射するレーザ光の発光強度Ｐｗ２よりも大きくし、かつ発光強度Ｐｗ１のレーザ光の発光時間Ｔ１を、発光強度Ｐｗ２のレーザ光の発光時間Ｔ２よりも短くしているので、媒体に加えられる平均的な熱エネルギー量をほぼ一定とすることができる。したがって、記録される情報の記録領域が半径方向の隣接トラックにはみ出ないようにすることができ、隣接トラックに記録されたデータの破壊を低減し、記録特性の向上と記録再生の信頼性の向上ができる。
また、データ反転時のレーザ光の発光強度を相対的に大きくしそのレーザ光の発光時間を相対的に短くしているので、急峻な温度分布のもとで情報（記録マーク）が記録され、記録された情報のマークエッジがシャープとなり、記録特性を向上できる。
また、データ反転時のレーザ光の発光時間を短くしているので、印加磁界とレーザ光の出力タイミングのマージンが増加し、両者のタイミング調整の容易化と記録特性の向上ができる。
【発明を実施するための最良の形態】
【００１９】
以下、図面を使用して本発明の実施の形態を説明する。なお、以下の実施例の記載によって、この発明が限定されるものではない。
＜この発明の光磁気記録再生装置の構成＞
図１に、この発明の光磁気記録再生装置の一実施例の構成ブロック図を示す。
この発明の光磁気記録再生装置３０は、外部のパソコン（ＰＣ）３１などからのデータ書き込み要求を受けてデータを光磁気記録媒体１０に記録し、データの読み出し要求を受けて、光磁気記録媒体１０に記録されたデータを再生するものである。
この発明では、レーザ光と印加磁界とを用いて記録再生を行う光磁気的な記録再生を対象とし、特に、記録マークのオーバライトが可能な磁界変調方式の記録再生を対象とする。
【００２０】
図１に示すように、この発明の装置は主として、光源（ＬＤ）１１，アクチュエータ１２，対物レンズ１３，レンズドライバ１４およびレーザ光ドライバ１７からなる光学系ブロックと、コイル１５とコイルドライバ１６とからなる磁界系ブロックと、制御部１８および記憶部２０からなる制御ブロックとから構成される。
光磁気記録媒体１０は、いわゆる光磁気ディスクであり、基板上に、反射膜や記録膜などの薄膜を積層とした媒体である。媒体１０の円周方向に、スパイラル状の複数のトラックが形成され、１つのトラック幅Ｗとほぼ同じ直径（Ｗ）の記録マークが記録されるものとする。
【００２１】
光源１１はレーザ光ドライバ１７からの制御信号に基づいてレーザ光を照射するものである。対物レンズ１３は、光源１１から出射されたレーザ光（ＬＢ）を集光して、媒体の所定の位置に照射するものである。
アクチュエータ１２は、対物レンズ近傍に配置され、レンズドライバ１４からの制御信号に基づいて対物レンズ１３の媒体に対する位置をコントロールするものである。
コイル１５は、コイルドライバ１６から与えられる電流によって磁界（Ｈｗ）を発生させるものである。
制御部１８は、各ドライバ（１４，１６，１７）の動作を制御する部分であり、レーザ光の発光パワー値や発光時間の制御、印加磁界の印加タイミングや大きさの制御、対物レンズの移動量や角度の調整を指示する部分である。
【００２２】
レーザ光ドライバ１７は、制御部１８から与えられるレーザ光強度と発光時間などを含む指示に基づいて、照射すべきレーザ光の発光パワー（Ｐｗ）を設定し、指示された所定のタイミングで、指示された所定の熱エネルギー量のレーザ光が出射されるように、光源１１に制御信号を与えるものである。
レンズドライバ１４は、制御部１８から与えられるフォーカス制御やトラッキング制御などの指示に基づいて、アクチュエータ１２を駆動させるものである。
コイルドライバ１６は、制御部１８から与えられる印加磁界の強度と印加方向などの情報を含む指示に基づいて、コイル１５に与える電流の方向の切りかえ、電流を流すタイミングや電流値を変更する部分である。
【００２３】
入出力インタフェース（Ｉ／Ｆ）１９は、外部のパソコン（ＰＣ）３１から記録すべきデータ、書込命令や読出命令を受信し、あるいは読み出したデータをパソコンＰＣ３１へ送信する部分である。
記憶部２０は、記録データ，再生データの一時記憶の他、記録再生処理に必要な情報を記憶しておく部分である。
この発明では、記憶部２０には、たとえば、レーザ光の発光時間（パルス幅）Ｔ，レーザ光の発光パワー（発光強度）Ｐｗ，磁界強度（Ｈｗ），入力されたデータ（０または１）などが記憶される。
後述するように、レーザ光の発光時間Ｔとしては、少なくとも２種類の値（Ｔ１，Ｔ２）を予め記憶し、レーザ光の発光パワーＰｗとしては、２つまたは３つの値（Ｐｗ１，Ｐｗ２，Ｐｗ３）を予め記憶しておく。また、印加する磁界の強度Ｈｗとしては、１つの値または２つの値（Ｈｗ，Ｈｗ１）を記憶しておく。これらの数値は、ＲＯＭ等に予め固定的に記憶しておいてもよいが、書き換え可能な不揮発性メモリに記憶し、あとで変更できるようにしてもよい。
【００２４】
制御部１８は、機能的に分離すると、主として入出力Ｉ／Ｆ１９，解析部２１，磁界制御部２２，光制御部２３とから構成される。
解析部２１は、入力されたデータを記録マーク（０または１）の列に分解し、マーク列を磁界制御部２２と光制御部２３に与える部分である。
磁界制御部２２は、与えられたマーク列に対して、印加する磁界の方向および大きさを決定する部分である。たとえば、記録マークが「１」のとき媒体の記録面に対して垂直方向で上向きの磁界（＋Ｈｗ）を発生するものと決定し、記録マークが「０」のとき、垂直方向で下向きの磁界（−Ｈｗ）を発生させるものと決定し、その磁界の向きと大きさの情報をコイルドライバ１６に与える。あるいは、記録すべきマークが変化した場合に、磁界の印加方向を反転させるための指示情報をコイルドライバ１６に与える。
【００２５】
光制御部２３は、与えられたマーク列に対して、出射すべきレーザ光の発光パワーＰｗと発光時間Ｔを決定する部分である。パワーＰｗと発光時間Ｔの値は、後述するようにマーク列の変化の有無によって決定される。
たとえば、マークが０から１に変化したときの「１」を書き込むときは、高いパワーＰｗ１で短い発光時間Ｔ１のパルス光を出射すると決定し、その発光パワーＰｗ１と発光時間Ｔ１の情報を、レーザ光ドライバ１７に与える。
制御部１８は、主として、ＣＰＵ，ＲＯＭ，ＲＡＭ，タイマー，Ｉ／Ｏインタフェースなどからなるマイクロコンピュータにより実現される。また、各機能ブロックの機能は、ＲＯＭ等に格納された制御プログラムに基づいて、ＣＰＵが各ハードウェアを動作させることにより実現される。
【００２６】
以上が、この発明の装置３０の構成であるが、データの記録再生処理を実行するために、従来と同様の機能を有する機能ブロック（たとえば、反射光検出部，サーボエラー信号演算部，再生信号演算部）を備えることが好ましい。
この発明では、１つのトラックに連続してオーバラップさせながら複数の記録マークを記録していくが、それらの記録マークの半径方向の幅Ｗを一定にするように、レーザ光および印加磁界を制御する。たとえば、第１実施例では、レーザ光の発光強度Ｐｗと発光時間Ｔをある条件に基づいて変更しながら、各記録マークの記録領域の面積がほぼ一定になるようにする。
ここで、記録マークの記録領域の面積を一定とするためには、記録マークの記録の際に、レーザ光によって媒体に与えられる平均的な熱エネルギー量が一定となるようにする。
以下に、この発明の光磁気記録再生装置の制御方法の実施例について説明する。
【００２７】
＜第１実施例＞
ここでは、記録マークごとに、媒体に与えられるレーザ光の平均的な熱エネルギー量を一定にするために、レーザ光の発光パワーＰｗと発光時間Ｔとを調整する実施例について説明する。
【００２８】
図２に、この発明の第１実施例のレーザ光の照射方法の説明図を示す。
図２において、磁界強度と発光強度のグラフの横軸は時間ｔであり、縦軸はそれぞれの強度の大きさを示している。また、グラフの上下方向に見て、磁界強度と発光強度の出力タイミングと記録マークとが対応するものとする。
たとえば、最初のデータ「１」を記録する場合、磁界強度が＋Ｈｗである磁界が印加され、この磁界に同期して、発光強度がＰｗ１のレーザ光が時間Ｔ１だけ照射されることを意味する。また、このように＋Ｈｗの磁界とＰｗ１のレーザ光が出力されたとき、その下に記載したような直径Ｗの記録マーク（図では「１」を意味する白マーク）が媒体に書きこまれることを意味する。
図２において、記録マークのうち白マークは「１」のデータの記録、黒マークは「０」のデータの記録を意味する。
【００２９】
図２に示すように、入出力Ｉ／Ｆ１９を介して、記録すべきデータ列「１，０，１，１，０，０……」が与えられたとする。このデータ列の「１」を書き込むときには＋Ｈｗの磁界を印加し、「０」を書き込むときには−Ｈｗの磁界を印加するものとする。この磁界の変化は、コイル１５に流す電流の向きを反転させることにより行われるが、この点は従来と同様である。
また、＋Ｈｗは、大きさがＨｗで、方向が媒体の記録面に垂直で上向きの磁界を意味し、−Ｈｗは、大きさがＨｗで、方向が媒体の記録面に垂直で下向きの磁界を意味する。
【００３０】
一方、レーザ光としては、次の２種類のレーザ光を照射する。
（１）発光パワーがＰｗ１で、パルス幅（発光時間）がＴ１である光パルス（Ｐ１）
（２）発光パワーがＰｗ２（＜Ｐｗ１）で、パルス幅（発光時間）がＴ２（＞Ｔ１）である光パルス（Ｐ２）
光パルスＰ１は、記録データ列が「１から０」に変化したとき、あるいは「０から１」へ変化したとき、変化後の最初のデータを書き込むときに媒体に照射される光パルスである。
また、光パルスＰ２は、記録データ列として０または１の同じ値が２つ以上連続したとき、２番目以降のデータを書き込むときに媒体に照射される光パルスである。
なお、同じ値が２つ以上連続する場合の先頭のデータは、変化後の最初のデータと同様に、光パルスＰ１を照射することにより書き込まれる。
【００３１】
言いかえれば、記録データの反転時において、反転後の最初のデータを書込むときに、発光パワーが相対的に高く、その発光時間が短い光パルスＰ１（Ｐｗ１，Ｔ１）を照射し、記録データとして同じ値が連続する場合において、２番目以降のデータを書込むときに、発光パワーが相対的に低く、その発光時間が相対的に長い光パルスＰ２（Ｐｗ２，Ｔ２）を照射する。
ここで、２つのパルスの媒体に与える熱エネルギー量をほぼ同一とするために、図２の発光パワー（Ｐｗ）と発光時間（Ｔ）で定められる長方形の面積（Ｓ＝Ｐｗ×Ｔ）がほぼ同じとなるようにすることが好ましい。
【００３２】
図２において、たとえば、２番目のデータ「０」は、１から０に変化した後のデータであるので、発光パワーＰｗ１，発光時間Ｔ１の光パルスＰ１を照射して記録する。
また、３番目のデータ「１」は、０から１へ変化した後のデータであるので、同様の光パルスＰ１を照射して記録するが、４番目のデータ「１」は、同じ値「１」が連続した場合の２番目のデータであるので、発光パワーＰｗ２（＜Ｐｗ１）、発光時間Ｔ２（＞Ｔ１）の光パルスＰ２を照射して記録する。
図２の場合では、データが反転する２番目，３番目，５番目，７番目，１０番目，１１番目のデータの書込み時には、光パルスＰ１が照射され、それ以外の連続データの２番目および３番目のデータの書込み時には、光パルスＰ２が照射される。
ただし、光パルスは、どちらも、印加磁界（＋Ｈｗまたは−Ｈｗ）と同期した一定周波数で照射される。
【００３３】
このように、２種類の光パルスを照射するようにすれば、記録されるマークは、すべて媒体の半径方向にほぼ一定の幅（直径）Ｗを持つものとなる。これは、発光パワーＰｗと発光時間Ｔとで求められるグラフ上の面積（Ｓ＝Ｐｗ１×Ｔ１＝Ｐｗ２×Ｔ２）が常にほぼ一定となるように光パルスを照射することにより実現される。
記録マークの幅Ｗがほぼ一定となるのは、同じ値が連続する２Ｔ以上のマークのような長いパターンを書き込む場合でも、０と１を交互に繰り返し記録する最密パターン（１Ｔマーク）を書き込む場合でも同じである。
【００３４】
すなわち、データの反転や非反転に関係なく、また、記録するマークのマーク長に関係なく、媒体の半径方向に一定の幅Ｗのマークを書き込むことができる。
常に一定幅Ｗのマークを書き込むことができるので、隣接するトラックに書き込まれていたデータを破壊することはなく、記録特性を向上でき、データの記録再生の信頼性を向上できる。
また、データが反転するときは、相対的に高いパワーＰｗ１の光パルスＰ１を短時間だけ照射しているので、急峻な温度分布が発生してシャープなマークエッジ部分が形成され、有効領域の不確定な部分が少なくなり、反転パターンの記録時の記録特性を向上できる。
【００３５】
一方、同じ値のデータが連続するときは、同じマーク（白マークまたは黒マーク）が一部オーバラップさせながら連続的に上書きされることになるので、見かけ上円周方向のマークエッジが存在しない。したがって、マーク間の境界に記録特性上問題となる不確定な部分が存在しないので、発光パワーの低い光パルスＰ２を照射しても記録特性の劣化とはならない。
また、磁界とレーザ光とは同期させて出力されるが、データ反転時の発光時間Ｔ１を短くするので、同期マージンが増え、磁界とレーザ光のタイミング調整が容易となる。すなわち、磁界に対する光パルスの出力タイミングのずれが生じても、正確な記録ができる可能性を高めることができる。
【００３６】
この第１実施例において、光パルスの発光パワーＰｗや発光時間Ｔの最適値は、媒体の記録感度，放熱性などによって変化するため、一義的に決めることは難しい。また、記録再生特性の設計仕様により、２つの光パルスの発光パワー（Ｐｗ１，Ｐｗ２）の具体的数値や、両パワーの比も異なるので、一義的に定めることはできない。
一例として言えば、現在の技術では、光パルスの発光時間は、数ナノ秒から数十ナノ秒程度とすることができる。また、２つの光パルスの発光時間の比としては、Ｔ１：Ｔ２＝３：４程度としてもよい。また、光パルスＰ１の発光パワーＰｗ１は、光パルスＰ２の発光パワーＰｗ２の１．２倍〜１．３倍程度としてもよい。
【００３７】
＜第２実施例＞
ここでは、レーザ光の発光パワーＰｗと発光時間Ｔを調整することに加えて、印加磁界の強度Ｈｗを変化させる。この印加磁界の強度変化を加えることにより、マークエッジのシャープさをより向上させることができ、反転パターン記録時の記録特性を向上できる。
図３に、この発明の第２実施例のレーザ光の照射方法および磁界の印加方法の説明図を示す。図３も、図２と同様に横軸は時間ｔであり、グラフを上下方向に見て、磁界強度と発光強度の出力タイミングが同期している。
【００３８】
図３において、記録データの反転時（１から０、または０から１）に、相対的に発光パワーが高く、かつ発光時間の短い光パルス（Ｐｗ３，Ｔ３）を照射し、同じ値が連続する場合の２番目以降のデータの記録時に、相対的に発光パワーが低く、かつ発光時間の長い光パルス（Ｐｗ２，Ｔ２）を照射する点は、第１実施例と同様である。
【００３９】
一方、記録データの反転時に印加する磁界の強度を相対的に大きくする。すなわち、図３に示すように、記録データが１から０へ変化したとき、または０から１へ変化したときにおいて、変化した後の最初のデータを記録するときに、相対的に大きな強度の磁界Ｈｗ１（＞Ｈｗ）を印加する。
また、同じ値が連続する場合の２番目以降のデータを記録するときには、相対的に小さな強度の磁界Ｈｗ（＜Ｈｗ１）を印加する。なお、図３の破線で示した磁界は、第１実施例で印加する磁界の変化を示したものである。
【００４０】
図３においては、反転が生じた後の最初のデータである２番目，３番目，５番目，７番目，１０番目および１１番目のデータを記録するときに、磁界の強度（Ｈｗ１）を高くしている。
このように、発光時間の短い光パルスを照射するときに、磁界強度を高くしているので、より急峻な温度分布で、マークエッジが形成される。
この第２実施例において、発光パワーＰｗ３については、Ｐｗ１＞Ｐｗ３＞Ｐｗ２としてもよい。ここで、Ｐｗ１は第１実施例の光パルスＰ１の発光パワーである。発光パワーをＰｗ１よりも小さなＰｗ３としているのは、反転時における印加磁界の強度を大きくしているので、発光パワーを多少小さくしても、同じように良好な記録特性が得られるからである。
【００４１】
第２実施例において、磁界強度Ｈｗ１の大きさや発光パワーＰｗ３の大きさは、記録再生の設計仕様により異なるので、一義的に定めることはできない。
一例として言えば、たとえば、磁界強度Ｈｗ１は、強度Ｈｗの１．１５倍から１．２倍程度とすることができる。また、発光パワーＰｗ３は、第１実施例の発光パワーＰｗ１の８５％から９０％程度とすることができる。
また、印加磁界の強度を変化させる方法としては、種々の方法が考えられ、特に限定されるものではない。たとえば、コイルドライバの周波数特性に共振点を持たせたり、データパターン反転時の最初の光パルスのパワーがゼロレベルに落ちる後まで駆動電流を足し込む方法などが考えられる。
【図面の簡単な説明】
【００４２】
【図１】この発明の光磁気記録再生装置の一実施例の構成ブロック図である。
【図２】この発明の第１実施例のレーザ光の照射方法の説明図である。
【図３】この発明の第２実施例のレーザ光の照射方法および印加磁界の付与方法の説明図である。
【図４】従来の磁界変調方式の光磁気記録再生装置の概略構成図である。
【図５】従来の磁界変調方式の印加磁界とレーザ光の関係の説明図である。
【図６】従来の磁界変調方式の印加磁界とレーザ光の関係の説明図である。
【図７】従来の磁界変調方式における記録マークの状態の説明図である。
【符号の説明】
【００４３】
１０  光磁気記録媒体
１１  光源
１２  アクチュエータ
１３  対物レンズ
１４  レンズドライバ
１５  コイル
１６  コイルドライバ
１７  レーザ光ドライバ
１８  制御部
１９  入出力Ｉ／Ｆ
２０  記憶部
２１  解析部
２２  磁界制御部
２３  光制御部
３０  光磁気記録再生装置
３１  パソコンＰＣ
【図１】
2006185549.tif 000003
【図２】
2006185549.tif 000004
【図３】
2006185549.tif 000005
【図４】
2006185549.tif 000006
【図５】
2006185549.tif 000007
【図６】
2006185549.tif 000008
【図７】
2006185549.tif 000009